Podtech/llm-jp-corpus-v4-ja_patent huggingface dataset:
(57)【要約】【課題】本発明は、スプレ−缶を使用する際、数本の指でささえ１本の指でノズルを押し下げ噴霧するのであるが、構造上滑りやすく指先も液で汚れて不快感が残る、スプレ−缶をホルダ−で保持し、持ちやすく使用後、手指が殺虫剤・塗料・油脂等で汚れないようにした【手段】持ちやすいように改造の出来ないスプレ−缶を、本発明のホルダ−で保持し殺虫剤・塗料・油脂・等で手指が汚れないようにした、ネジ（８）を緩め、差し込み部（７）を空洞部（６）より引きだしスプレ−缶受部（５）のところにスプレ−缶（１１）を置き、差し込み部（７）を空洞部（６）の中に押し込み適宜の所でネジ（８）を締めると缶の上部は差し込みリング（４）に納まり固定される握り部（１）を持ちレバ−（２）を引くとレバ−頭部（３）が下がり噴射口の上部を押し噴霧するので手指は液で汚れることがない。スプレ−缶には長さに違いがあるが缶受け部（５）が差し込み部（７）とネジ（８）で適宜調整できる。【選択図】図２
2010018344.tif 000002
【特許請求の範囲】
【請求項１】
スプレ−缶（１１）は  噴射口（１２）を前方に向けてスプレ−缶差し込みリング（４）に差し込み、スプレ−缶受け部（５）で保持するホルダ−の握り部（１）を持ち、レバ−（２）を引くと、レバ−頭部（３）が下がり、噴射口（１２）の上部を押さえ、殺虫剤・塗料・油脂等で、指先や手等を、汚すこと無く噴霧出来るようにしたスプレ−缶用ホルダ−。
【請求項２】
スプレ−缶には長さに違いがあるがスプレ−缶受部（５）にスプレ−缶を置き、差し込み部（７）を空洞部（６）の中へ差し込む、適宜の位置で、ネジ（８）を締めるとスプレ−缶の長さに関係無く、容易に保持することができる。缶受け部（５）には抜き穴（１３）を設けごみが落ちるようにした
【請求項３】
スプレ−缶用ホルダ−には吊り輪（１０）を設け高所作業・足場の悪いところでの作業には吊り輪（１０）にロ−プを結んでおけばうっかり手を滑らせて人や品物の上に落下させる事故を防げるようにした。
【発明の詳細な説明】
【発明の詳細な説明】
【技術分野】
【０００１】この発明は人体に有害な殺虫剤・塗料・油脂類の入ったスプレ−缶のノズルを直接指で押して噴霧するのでなく、本発明によるホルダ−でスプレ−缶を保持し、レバ−（２）を引く事によりレバ−頭部（３）で噴射口（１２）上部を押し噴霧出来るようにした。
【背景技術】
【０００２】従来からスプレ−缶を使用する際、数本の指で本体を支え残り１本の指でノズルを押し下げ噴霧している、しかし噴射口（１２）の直ぐ下をささえるので、噴霧した  殺虫剤・塗料・油脂類で手指が汚れてしまう。また液で濡れるため滑らせて落としてしまうこともある。
【発明が解決しようとする課題】
【０００３】従来スプレ−缶を使用する際、数本の指で本体をささえ１本の指でノズルをおすため手指が噴霧された殺虫剤・塗料・油脂類で汚れるまた液で濡れるため滑らせて落下させる事故もある。
本発明は以上の問題点を亡くすよう考案したものである。
【課題を解決する手段】
【０００４】ホルダ−のネジ（８）を緩め、差し込み部（７）を空洞部（６）より引き出しスプレ−缶受け部（５）の部分にスプレ−缶（１１）の噴射口（１２）を前方向にし乗せる再び差し込み部（７）を押し込みネジ（８）を締めるとスプレ−缶の上部がスプレ−缶差し込みリング（４）の中に納まり保持される。握り部（１）を持ってレバ−（２）を引くと、レバ−頭部（３）が下がり噴射口（１２）の上部を指に替って押し下げ手指を汚す事なく噴霧出来る。ホルダ−の吊り輪（１０）にロ−プを結んでおけば落下の恐れもない。
本発明は以上の構成により、スプレ−を気持ち良く安全に使えるようにした
【発明を実施するための最良の形態】
【０００５】（イ）ホルダ−のネジ（８）を緩め、差し込部（７）を空洞部（６）より引き出すとスプレ−缶受け部（５）が下がる。
（ロ）スプレ−缶受け部（５）にスプレ−缶（１１）を噴射口（１２）を前方向にして置き、差し込部（７）を空洞部（６）に適宜に押し込みネジ（８）を締めるとスプレ−缶の上部はスプレ−缶差し込みリングの中に納まり保持される
（ハ）握り部（１）を持ち、レバ−（２）を手前に引くとレバ−頭部（３）が下がり噴射口（１２）の上部を押し下げ噴霧されるレバ−（２）から指を放すとレバ−頭部（３）はスプリング（９）後からで元の位置へ戻る。
本発明は以上の構成よりなる
【発明の効果】
【０００６】改造不可能なスプレ−缶を、本発明スプレ−缶ホルダ−で保持しホルダ−のレバ−（２）を引きレバ−頭部（３）でノズルを押し噴霧出来るようにしたので手指を殺虫剤・塗料・油脂等で汚すことがなくなり、濡れた液でスプレ−缶を取り落とす事もなくなる。
【図面の簡単な説明】
【図１】本発明の側面図
【図２】本発明の要部斜視図
【図３】本発明の要部拡大の斜視図
【図４】本発明の要部拡大の斜視図
【符号の説明】
（１）握り部（２）レバ−（３）レバ−頭部（４）スプレ−缶差し込みリング（５）スプレ−缶受け部（６）空洞部（７）差し込み部（８）ネジ（９）スプリング（１０）吊り輪（１１）スプレ−缶（１２）噴射口（１３）抜き穴
【図１】
2010018344.tif 000003
【図２】
2010018344.tif 000004
【図３】
2010018344.tif 000005
【図４】
2010018344.tif 000006
(57)【要約】【課題】  従来のカプセルはプラスチックで構成されており、使用後の分別廃棄という問題がある。また、石油を原材料としているため、環境への配慮が必要になった。そして、つなぎ目部分がある程度の強度を必要とするため、幼児などには開け難いという点がある。【解決手段】  紙で構成することによって、使用後は一般廃棄物の扱われる。紙で構成してあるので、幼児でも容易に空けられ、収納物を取り出せる。【選択図】図２
2010018339.tif 000002
【特許請求の範囲】
【請求項１】
紙で構成したカプセル。
【請求項２】
１枚の紙で構成する。接着剤、テープなどを用いず、紙を折り曲げて、紙に設けた溝にカギ差し込むなどをして組み立てる。
【請求項３】
カプセルの展開は三角形、台形、六角形を組み合わせたもの。
【請求項４】
カプセルの表面に収納してあるものの説明や、注意表記その他宣伝などを印刷する。
【発明の詳細な説明】
【技術分野】
【０００１】  本発明は紙で構成するカプセルに関する。
【背景技術】
【０００２】  従来のカプセル（主に玩具を収納するもの）はプラスチックで構成及び生産されている。【０００３】  従来のカプセルは図１のＡ−１を硬度の高い材料で構成し、Ａ−２をＡ−１より硬度の低い材料で構成することで、その高度差によってＡ−１とＡ−２を分離できた。【０００４】  図１による従来のカプセルはプラスチックで構成されており、収納物の説明や注意表記などは、カプセルの中に印刷物を入れている。【０００５】  図１によるカプセルの表面に印刷するには、高い原価を要する。さらに、図１のＡ−２はポリプロピレンで構成されていることが多く、Ａ−１よりも印刷の技術難度が高く、原価も高い。【０００６】  プラスチックで構成されているカプセルは、中に収納されているもの（主に玩具）を取り出した後は廃棄物と扱われ、一般廃棄物とは分別しなくてはならない。
【発明の開示】
【発明が解決しようとする課題】
【０００７】  以上、述べたように従来のカプセルはプラスチックで構成されており、図１のＡ−１とＡ−２を分離し難く、使用後は分別廃棄しなければならない。【０００８】  本発明は、このような従来のカプセルが有していた問題を解決しようとするものであり、カプセルを開けやすく、印刷を容易にし、使用後には一般廃棄物として扱われることを目的とするものである。
【課題を解決するための手段】
【０００９】  本発明は上記目的を達成するために、紙で構成する。よって、使用後は一般廃棄物として扱われる。また紙であるため再生も可能である。【００１０】  １枚の紙で構成しているので、組み立て工程の省略化、及び使用紙の削減ができる。また、溝とカギで固定しているので、テープや接着剤を使用しなくて済む。【００１１】  図２（側面図）のＢ−１を正三角形にすることと、イ部を台形の面を６面でつなげることによって、外側からの上下、左右、斜めの圧力に耐えられる強度を保つことができる。【００１２】  本発明はカプセルを紙で構成することによって、その表面に印刷が可能になった。従来のカプセルは、収納物の説明や注意表記、内容表示などを印刷物にしてカプセルに収納していた。
【発明の効果】
【００１３】  上述したように、本発明の紙カプセルは、使用後、分別廃棄物にはならず、一般廃棄物になる。また再生紙の原料としても利用可能である。【００１４】  従来のカプセルはプラスチックで構成されており、原材料に石油を用い、限りある化石資源を使っていた。本発明は紙で構成することによって、廃棄、再生を容易にし、またそれを促すことで、環境を考慮したものになっている。【００１５】  紙で構成することにより、表面に印刷が容易になり、印刷面が拡大したことにより、注意表記や内容説明、材料表示、生産国などが使用者に見易くなった。
【発明を実施するための最良の形態】
【００１６】  以下、本発明の実施の形態を図２〜図４に基づいて説明する。【００１７】  図２においての側面図では、輪郭を可能な限り一辺を均一な長さの八角形とする。【００１８】  図２においてのイ部を、図３の上面及び底面図で見て六角形にする。【００１９】  図３においてのＣ−１で、イ部の先端を収束する。【００２０】  以下、図４において、本発明の組み立て方を説明する。また、図４において、実線が切断線。破線が折線とする。【００２１】  破線の折線を全て山折にする。Ｄ−１をＤ−２に差し込む。Ｅ−１とＥ−２を溝にそって組む。Ｆ−１をＦ−２に差し込む。Ｇ−１をＧ−２に差し込む。反対側のＥ−１‘〜Ｇ−２’も同様に組み立てる。
【図面の簡単な説明】
【００２２】
【図１】  従来のプラスチック製カプセル
【図２】  本発明の側面図
【図３】  本発明の上面及び底面図
【図４】  本発明の展開図
【符号の説明】
【００２３】Ａ−１            従来のカプセルの硬度が高いプラスチックを材料とした部分
Ａ−２            従来のカプセルの硬度が低いプラスチックを材料とした部分
Ｂ−１            正三角形部分
Ｃ−１            イ部を収束して固定する部分
Ｄ−１〜Ｇ−２‘  溝とカギ
【図１】
2010018339.tif 000003
【図２】
2010018339.tif 000004
【図３】
2010018339.tif 000005
【図４】
2010018339.tif 000006
(57)【要約】      （修正有）【課題】冷たく冷えた飲物などを卓上等に置いたままでも、長い間にわたり強制的に冷却し、大きさや形の異なるどの容器に対しても、適合して使用することができる用具を提供する。【解決手段】（イ）ビニール等の軟性な材質をかまぼこ状に形成し、その中に吸水したポリマーを充填し、それを整列し、ベルトに固定して、そのベルトの両端の表と裏に面ファスナー４等の接着具を装着する。（ロ）（イ）にて形成された用具を冷蔵庫の冷凍室に入れ、吸水したポリマーが冷凍した後これを取り出し、飲用物が入った容器に巻き付けるようにして取り付けて使用する。（ハ）携帯用は、ポリマーの性質を応用した点は同様です。【選択図】図３
2010018340.tif 000002
【特許請求の範囲】
【請求項１】
軟性ビニールなどで波形状、又はかまぼこ状などに形成された中空に、吸水した高分子ポリマーを充填するか、ポリマーと水分を別々に封入して混合する。
かまぼこ形状に成型された物体を、布などの巻き付け可能な軟性のベルトに固定して、ベルトの両端にマジックテープを装着して接着できるようにする。
これを冷凍庫で凍結しておき、かまぼこ形部分が内側になるようにして瓶やコップなどに巻き付け、マジックテープ部分で接着するようにして保冷効果を保持する器具。
【請求項２】
携帯用として伸縮性、耐熱性などに用いる素材で、小さく袋状に形成されたものに、高分子ポリマーに吸水し凍結した棒状の袋の内側に複数取付け保冷効果を保持する器具。
【発明の詳細な説明】
【技術分野】
【０００１】  この発明は、吸水した顆粒ポリマーを、かまぼこ形あるいは波形に形成された中空に充填し、或いは波形状になるようにベルトに固定して、ベルトの両端マジックテープなどで接着する部分を設ける。これを冷凍庫等で凍結させたあと、飲用のための瓶、缶、コップなどに巻き付け、ベルト状の両端に取り付けた接着部分で接着する。
伸縮性、耐熱性がある素材で袋状に形成し、内側に複数の前述のような処理を施したポリマーを装着して、凍ったポリマーが入った部分が飲物等の温まることを防止して快適な温度で飲用することが可能な器具に関するものである。
【技術背景】
【０００２】  従来より飲物の容器を二重にして、空間に液体等を封入し、それを冷却した後、容器に飲物を注ぎ飲物の温暖化を防ぐものはあったが、冷凍室では嵩張り、量的には収納が困難であり、一般家庭には不向きであった。
容器の形状や大きさが異なる缶、瓶、などの飲物の容器に適合するものは保冷器具はなかった。また携帯用では、耐熱性のある作られたもので、外部の気温を遮断するものしかなかった。
【発明の開示】
【発明が解決しようとする課題】
【０００３】  本案は、冷やして飲用が好まれる食品が、時間の経過とともに暖かくなることを防止するために、高分子ポリマーの性質を利用して水分を加え、ゲル状にして流動性を封じ、それを軟性のあるかまぼこ形の複数の容器に封入し、ベルト状に並べて冷凍し、保冷が必要とする容器に巻き付け、携帯用では容器側に装着し、暖かくならないように解決したものである。
【課題を解決するための手段】
【０００４】  その解決手段を図面により説明すれば、
（イ）  曲げることが可能なベルト（１）に、ビニール等の軟らかい材質で、中空にしたカマボコ型（２）に形成する。
（ロ）  形成された空間に水分を適量に吸収し、ゲル状になったポリマーまたはポリマーと水分を別々に入れ充填（３）し、（１）のベルトに固定する。
（ハ）  ベルト（１）の両端に一方は表側に、一方は裏側にマジックテープ（４）を取り付けて、保冷物体（５）を巻いた後に接着できるようにする。
（ニ）  伸縮性、耐熱性がある布（６）を袋状に形成し、（イ）の方法で成型したものを袋の内側に複数装着する。
（ホ）  装着された空間に、水分を適量に吸収したゲル状になったポリマーまたはポリマーと水分を別々に入れて充填（３）する。
【発明の効果】
【０００５】  本発明の吸水ポリマーを封入した保冷具を凍結させて使用すれば、容器入りの冷えた飲物が常温のもとに長時間置かれた場合、携帯用とも飲物の温度が上がらず、冷えた温度を保つことができる。
【発明を実施するための最良の形態】
【０００６】  本保冷具は、吸水ポリマーを封入される部分が、かまぼこ型であり、それが波状形に整列された状態にして、飲物容器に巻き付けるように使用するため、飲物容器の丸形や角形に関わらず、保冷を望む容器の外壁に適合し、またコップ等の傾斜のある容器にもマジックテープの接着位置を斜めにずらすことによって適合することができる。
巻き付けの強さを加減すれば、強力な場合は瓶等に固定させて瓶など全体を保冷し、飲用する場合は冷却具ともに持ち上げて使用する。
弱い巻き付けた場合では、コップなどを持ち上げても、本保冷具が卓上などにコップが抜けた形として残り、コップなどからの飲用後は、抜けた位置にコップなどを戻すことによって、保冷の目的を達することができる。
携帯用では随時水分補給が可能ですが、夏場の暑い時期には冷たい飲物が歓迎されます。
【実施例１】
【０００７】  本保冷具を冷凍庫で冷凍した後、冷蔵庫より取り出し、冷たい飲物が入った容器に巻き付け、マジックテープ部分を接着して固定し、飲物とその容器を保冷するようにする。
また本保冷具に封入された吸水ポリマーが、解凍して常温状態になれば、再度冷凍を行なうことによって、繰り返し使用する。
携帯用は同様に冷凍庫で冷やして使用する。
【図面の簡単な説明】
【０００８】
【図１】  本発明の完成した形の斜視図
【図２】  本発明を実施した場合の断面図
【図３】  本発明を瓶に実施した場合の斜視図
【図４】  本発明を傾斜のあるコップに実施した場合の斜視図
【図５】  本発明の携帯用の斜視図
【図６】  本発明の携帯用の平面図
【符号の説明】
【０００９】１は保冷部を取り付けるベルト
２は吸水ポリマーを収納する容体
３は吸水ポリマー
４はベルトに付けられたマジックテープ
５は保冷される瓶
６は保冷されるコップ
７は携帯用の本体
８は携帯用の飲み口
【図１】
2010018340.tif 000003
【図２】
2010018340.tif 000004
【図３】
2010018340.tif 000005
【図４】
2010018340.tif 000006
【図５】
2010018340.tif 000007
【図６】
2010018340.tif 000008
(57)【要約】【課題】セキュリティの問題を解決し、かつ、他の階への移動も可能としたエレベーターの制御装置の提供。【解決手段】乗かご３内で行き先階の呼びを登録する手段５と、乗かご３内での個人認証を行う手段（６、８）とを有し、通常かご呼びの登録を無効化しておき、前記個人認証結果の有効か否かを判定し、有効であればかご内行き先呼びを登録許可する手段を備えたエレベーターの制御装置において、前記個人認証手段（６、８）の操作がエントランス階か否かを判断し、エントランス階であれば操作者の居住階を自動登録し、エントランス階以外であればかご呼び登録の無効化を解除するようにした。【選択図】図１
2010018371.tif 000002
【特許請求の範囲】
【請求項１】
乗かご内で行き先階の呼びを登録する手段と、乗かご内での個人認証を行う手段とを有し、通常かご呼びの登録を無効化しておき、前記個人認証結果の有効か否かを判定し、有効であればかご内行き先呼びを登録許可する手段を備えたエレベーターの制御装置において、
前記個人認証手段の操作がエントランス階か否かを判断し、エントランス階であれば操作者の居住階を自動登録し、エントランス階以外であればかご呼び登録の無効化を解除するようにしたことを特徴とするエレベーターの制御装置。
【発明の詳細な説明】
【技術分野】
【０００１】
本発明は、個人認証結果に応じて制御するエレベーターの制御装置に関する。
【背景技術】
【０００２】
近年、乗り場でカードリーダーを操作することで、カードの有する個人認識情報を制御盤に伝達し制御盤側で演算した結果、個人認識が完了した時点でホール呼び手段を有効とするものが提案されている（例えば、特許文献１参照）。
【特許文献１】特開昭５２−２７１５１６号公報
【発明の開示】
【発明が解決しようとする課題】
【０００３】
しかしながら、前述したものでは、個人認証された人がかご内に乗り込めがどの階の行き先階釦も操作することができセキュリティ上問題があった。この問題解決の手段として、個人認証された人の階のみの行き先階釦のみ操作するものやその階を自動登録することが考えられる。しかし、この方式では、居住者同士が他の階の居住者の所に移動する場合、エレベーターを利用できないという問題があった。
【０００４】
本発明は、前述した従来技術における実状からなされたもので、その目的は、セキュリティの問題を解決し、かつ、他の階への移動も可能としたエレベーターの制御装置を提供することにある。
【課題を解決するための手段】
【０００５】
前記目的を達成するために、本発明は、乗かご内で行き先階の呼びを登録する手段と、乗かご内での個人認証を行う手段とを有し、通常かご呼びの登録を無効化しておき、前記個人認証結果の有効か否かを判定し、有効であればかご内行き先呼びを登録許可する手段を備えたエレベーターの制御装置において、前記個人認証手段の操作がエントランス階か否かを判断し、エントランス階であれば操作者の居住階を自動登録し、エントランス階以外であればかご呼び登録の無効化を解除するようにしたことを特徴とする。
【０００６】
このように構成した本発明は、個人認証手段の操作がエントランス階で操作された場合は、操作者の居住階を自動登録し、エントランス階以外であればかご呼び登録を許可するようにしたため、エントランス階からのエレベーター利用者の移動範囲が制限され、セキュリティが確保されると共に、エントランス階以外であればかご呼び登録が許可され、自由に他の階への移動ができ使い勝手の良いものとなる。
【発明の効果】
【０００７】
本発明によれば、エントランス階からのエレベーター利用者の移動範囲が制限され、セキュリティが確保されると共に、エントランス階以外であればかご呼び登録が許可され、自由に他の階への移動ができ使い勝手の良いものとなる。
【発明を実施するための最良の形態】
【０００８】
以下、本発明に係るエレベーターの制御装置の実施の形態を図に基づいて説明する。
【０００９】
図１は本発明に係るエレベーターの制御装置の一実施例を示す全体略構成図、図２は本発明の操作の流れを示すフローチャートである。
【００１０】
図１において、１はエレベーターを制御する制御装置で通常機械室等に設けられている。この制御装置１には多重伝送路２を介して昇降路（図示せず）内に設けられ乗かご３の運転盤４と接続されている。この運転盤４にはかご呼び登録装置５が設けられ、通常は、エレベーター利用者が乗かご３に乗り込んでかご呼び登録装置５を操作しようと思っても呼びの登録が行えないようになっている。６は前記運転盤４に設けられた個人情報を読み取る読取装置６で、この読取装置６は、多重伝送路７を介して住人かどうかを判断する認証装置８と接続されており、この認証装置８は伝送路９を介して制御装置１と接続されている。
【００１１】
次に、乗かご３の操作に関して図２を用いて説明する。
【００１２】
エレベーター利用者が乗かご３に乗り込み、読取装置６に個人情報の収められたカードや指紋などを示すと、この読取装置６は個人情報を読み取り多重伝送路７を介して認証装置８に送信され、このマンションの住人かどうかの判定がなされる（S１）。住人である場合、伝送路９を介して制御装置１に情報が送られ、制御装置１は現在の乗かご１の停止位置がエントランス階にいるのか否かを判定する（S２）。そして、乗かご１がエントランス階に停止していれば利用者の居住階を自動的に登録する（S３）。乗かご１がエントランス階に停止していない場合は、かご呼び登録装置５の無効化を解除し、利用者がかご呼び登録装置５を操作して、自由に他の階に行くことができる（S４）。また、万一、認証装置８によって居住者でないと判定された場合には、かご呼び登録装置５は無効化されたままであり、また、居住階の自動登録もなされないため、利用者は乗かご１を操作することはできず元の状態のままである。
【００１３】
なお、この例では、認証装置８を別に設けたが、制御装置１の中に組み込むようにしても良く、または、読取装置６と一体にしても良い。
【図面の簡単な説明】
【００１４】
【図１】本発明に係るエレベーターの制御装置の一実施例を示す全体略構成図である。
【図２】本発明の操作の流れを示すフローチャートである。
【符号の説明】
【００１５】
１  制御装置
２  伝送路
３  乗かご
４  運転盤
５  かご呼び登録装置
６  読取装置
７  伝送路
８  認証装置
９  伝送路
【図１】
2010018371.tif 000003
【図２】
2010018371.tif 000004
(57)【要約】      （修正有）【課題】水を加えてエマルジョン化した希薄ジェット燃料を提供する。【解決手段】従来の航空機用ジェット燃料であるＪＥＴ  Ａ−１、ＪＥＴ  Ｂ並びに軍用機用ジェット燃料であるＪＰ４，５に電解活性水等クラスター（分子）の小さな水を加水し、燃料とエマルジョン化する。分子の小さな水は燃料と容易に混ざり、安定したエマルジョン燃料となる。水分子と結合した燃料はジェットエンジンの焼室内で先で一瞬のうちに蒸発するため分子か拡散し燃料の空気に触れる面積が拡大し燃焼効率を高めるため、水で薄めた燃料がほぼ同等の燃焼エネルギーを発生させる。水で薄めた分の大幅な燃料コストダウンとＮＯｘ、ＳＯｘ、ＣＯ２等の排出を低減する。【選択図】なし【特許請求の範囲】
【請求項１】
従来のＪＥＴＡ−Ａ、ＪＥＴＡ−Ａ１、ＪＥＴＢ、及び軍用燃料の重量１００に対し電解活性水を重量２０から１００、つなぎ用植物油重量０．５から１．５を混合し攪拌した燃料
【請求項２】
ケロシンの重量１００に対し電解活性水を重量２０から１００、つなぎ用植物油重量０．５から１．５を混合し攪拌した燃料
【請求項３】
灯油の重量１００に対し電解活性水を重量２０から１００、つなぎ用植物油重量０．５から１．５を混合し攪拌した燃料
【発明の詳細な説明】
【技術分野】
【０００１】本発明はジェットエンジン用の燃料に関する発明である
【背景技術】
【０００２】従来使用されているジェット燃料に活性水等クラスターの小さな水を加水しエマルジョン化した希薄燃料。
【発明の開示】
【発明が解決しようとする課題】水を加えてエマルジョン化した希薄ジェット燃料を提供する。
【課題を解決しようとする手段】
【０００３】従来の航空機用ジェット燃料であるＪＥＴ  Ａ−１、ＪＥＴ  Ｂ並びに軍用機用ジェット燃料であるＪＰ４，５に電解活性水等クラスター（分子）の小さな水を加水し、燃料とエマルジョン化する。分子の小さな水は燃料と容易に混ざり、安定したエマルジョン燃料となる。水分子と結合した燃料はジェットエンジンの焼室内で先で一瞬のうちに蒸発するため分子か拡散し燃料の空気に触れる面積が拡大し燃焼効率を高めるため、水で薄めた燃料がほぼ同等の燃焼エネルギーを発生させる。水で薄めた分の大幅な燃料コストダウンとＮＯｘ、ＳＯｘ、ＣＯ２等の排出を低減する。
【発明の効果】
【０００４】加水をしても、従来の燃料同量と比較して同等の熱効率を得られるため、大幅な燃料コストダウンが可能となる他、ＮＯｘ、ＳＯｘ、ＣＯ２等の排出も大幅に低減する。
【発明の実施するための最良の形態】
【０００５】ジェットエンジンはその種類によって飛行する高度が異なり、ＪＥＴＡ−１では外気温が−５０でも凍結しないよう施されている。発明の燃料は大量に水分を含んでいるため比較的低空を飛ぶターボプロップエンジン、ターボシャフトエンジン用の配合とターボジェットエンジン、ターボファンエンジン用に、各エンジン別に最も適切な配合を施し最良の効率を発揮するようにする。
(57)【要約】【課題】竹類や樹木のセルロース系植物を原料として高速に炭化焼成を行い、発生するガスを冷却して燃料の原料になる炭化水素化合物溶液を大量に得る。その溶液をエタノール燃料に物理化学反応で合成して精製する。【解決手段】強酸性である有機化合物の原料溶液を磁気照射方法による物理化学反応で分解改質して粘性を除去し塩基性にする。そして、それをアルコール化して少量のエタノール添加でエタノールに合成して精製する。【選択図】図１
2010018769.tif 000002
【特許請求の範囲】
【請求項１】
竹類及び樹木から炭化水素有機化合物溶液を短時間に多量に抽出する省エネ高速炭化焼成を特徴とするセルロース系原料の処理方法。
【請求項２】
請求項１で抽出した強酸性溶液が含有する炭化水素有機化合物及び灰分の酸化物を短時間に分解して水素イオン濃度を塩基性にする磁気照射を特徴とする処理方法。
【請求項３】
請求項２で改質した塩基性溶液をアルコールにする磁気照射を特徴とする処理方法。
【請求項４】
請求項３で精製したアルコールを少量のエタノール添加を行い化学合成反応によりエタノールを精製する磁気照射を特徴とする処理方法。
【請求項５】
請求項１の製造で大量の竹炭（木炭）が製造されることにより大気中の二酸化炭素を大量に固定すること。更に、光合成の促進で竹類の成育と繁殖力で二酸化炭素を固定することを特徴とする処理方法。
【発明の詳細な説明】
【技術分野】
【０００１】エタノール燃料の製造及び竹類の繁殖と成育促進で光合成により大気中の二酸化炭素を大量に固定する技術分野
【技術背景】
【０００２】炭化焼成炉の円筒形状と容積サイズに合わせて竹を裁断して焼成のエネルギー効率を高めて大量の原料を処理する製造を行う。（特許文献１）
【０００３】小型炉の「茨城のかぐや姫」を５台運転して前項の作業を行うと、１日あたり原材料は２，８８０Ｋｇ、製造する竹炭は７２０Ｋｇ、粗竹酢液は６４８Ｋｇ（竹酢液５７６ｌ、タール７２ｌ）できる。
【０００４】竹炭１Ｋｇあたり固定する二酸化炭素の重量は３Ｋｇである。そして、その容積は１，５８６ｌ。大気中の二酸化炭素濃度を０．０４％として算定すると大気容積では３，７５０Ｋｌに相当する。直方体の寸法で表わすと（縦ｘ横ｘ高さ／単位ｍ）１６ｘ１５ｘ１５ｍであり、１日あたりそれらの７２０倍の量が小規模システムで環境効果として実現される。規模のスケールをアップすることは容易であり少額で可能である。グリーンリング社の５年間の作業に基づく参考値を以下の図表で示す。
2010018769.tif 000003
【０００５】竹酢液の成分量を以下に示す。（非特許文献１）
2010018769.tif 000004
竹酢液の物性はｐＨ３．１比重１．０００５である。林業試験所提供（非特許文献２）竹１トンから２００ｌの竹酢液が回収できる。
【０００６】炭化水素化合物の竹酢液は強酸性である。この溶液にネオジム元素で製作した強力な磁気エネルギー（６，０００ガウス）を連続照射して有機化合物溶液を常温で分解し瞬時に塩基性にする。磁気エネルギーの照射方法は（特許文献２）を応用してその機構をとる。（図１に示す第１亜臨界ホースの機構である。）
【０００７】この発明技術は自然科学全般に関することである。宇宙と地球のマクロとミクロの整合調和論について月刊財界人の特集記事で公開されている。（非特許文献３）
【特許文献１】特開２００５−８９７２１号広報（第２−５、第１図）
【特許文献２】実用新案登録第３１２７７０４号
【非特許文献１】竹酢液の成分量（宮崎大学工学部提供）
【非特許文献２】竹酢液の物性（林業試験所提供）
【非特許文献３】政経通信社刊行月刊財界人２００８年５月号（５６頁〜５９頁）
【発明の開示】
【発明が解決しようとする課題】
【０００８】これまでのバイオエタノールはとうもろこしやサトウキビを原料として酒類の製法と同様に発酵させて製造されている。この製法によるバイオエタノールは酸性でエンジン周辺部品の金属類やゴム類を劣化させている。また、その原料は食料であり世界中の食品価格の高騰を生じ不足の問題を生じさせている。上記の問題を解決するには、竹類や間伐材等の樹木を原料としてその改質と燃料化精製法を早期に確立すればよい。
【課題を解決するための手段】
【０００９】主原料には資源の枯渇しない竹類を選定する。セルロース系原料を炭化焼成して炭化水素有機化合物溶液を収集する。その強酸性溶液に磁気エネルギー照射して塩基性にする。また、同時に炭素に結合した化合物を分離分解する。そして、その溶液を改質合成してエタノールに精製する。
【発明の効果】
【００１０】世界中の食料品価格の高騰が止まる。竹類の炭化焼成で炭素の固定を大量に、そして、ハイスピードで促進できる。自然界のメカニズムを活用して最少経費で大気中の二酸化炭素を固定する最良の方法に関する発明である。この製法によるエタノール燃料の製造原価は安価であり、即時の広域普及で石油価格の高騰も速やかに鎮静化できる。
【発明を実施するための最良の形態】
【００１１】エタノール原料溶液を収集する最適な炭化焼成炉として特許文献１を選定する。それによる炭化で生ずるガスの冷却を行い回収した有機化合物の強酸性溶液を磁気エネルギー照射で亜臨界現象（物理反応）により全ての化合物を分解してアルカリ化する。この方法には特許文献２を応用する。そして、その分解溶液にアルコールを適量添加（化学反応）してエタノールに合成精製する。
【実施例】
【００１２】特許文献１の製品名は「茨城のかぐや姫」（グリーンリング自社製）。これを５台、８時間稼動して２，８８０Ｋｇの竹類原料から５７６ｌの有機化合物溶液を得る。そして、この溶液を１０日間静置して分離すると底部は高粘性のタール液、上部は粘性のある竹酢液になる。それらの容積比率は１：９である。高粘性タール液５０ｌを精製してエタノール１０ｌを得る。粘性竹酢液５００ｌは磁気エネルギー照射による亜臨界現象で有機化合物は分解して粘性は消滅し塩基性になる。常温条件下で所要時間は２０分この液量は５００ｌである。この溶液を左回転（地球の重心に向かって）に撹拌しながらエタノール１０ｌを添加し、磁気照射（３，０００ガウス）を行うことによりエタノール液になる。このエタノール液の純度と濃度は生分解浄化膜でろ過を行い完了する。間伐材から木酢液として原料の回収を行い同様の製造方法でエタノールを精製できる。
【産業上の利用可能性】
【００１３】即時に利用可能である。国内の山間部過疎地域でも竹林があれば即時に可能である。
【図面の簡単な説明】
【００１４】
【図１】粘性竹酢液（▲１▼）のタンク（Ａ）から第１亜臨界ホース（▲２▼）を流れて液性改質してタンク（Ｂ）に流入させる図。
【００１５】
【図２】粘性のない中性の竹酢液（▲４▼）タンク（Ｂ）で溶液を左旋回で撹拌し、エタノール添加を行い、第２亜臨界ホース（▲３▼）を流れてエタノール（▲５▼）を合成化学反応で精製する図。
【符号の説明】
【００１６】    ▲１▼  粘性竹酢液
▲２▼  第１亜臨界ホース
▲３▼  第２亜臨界ホース
▲４▼  改質竹酢液
▲５▼  精製エタノール
【図１】
2010018769.tif 000005
【図２】
2010018769.tif 000006
(57)【要約】      （修正有）【課題】岩礁帯では釣竿をシャクリながら探り釣りを行なうため、根掛かりが起こりやすく、一旦、根掛かりしてしまうと、テンビンなど高価なものを切って捨てるしかなく不経済であることから、根掛かりをなくす釣り具を提供する。【解決手段】浮き１の浮力を利用して、根掛かりを９０％なくする方法である。竿を素早く引き上げると、浮き１の浮力によって生ずる下方への力と、オモリ２が引っぱる上方の力によって、オモリ２を海底からほぼ垂直に浮き１の位置まで持ち上げ、根掛かりを回避する。【選択図】図３
2010178733.tif 000002
【特許請求の範囲】
【請求項１】
浮きの浮力を利用して、オモリを、傾きの角度１０°以内（ほぼ垂直）に持ち上げ、オモリの根掛がかりを、なくすようにした釣り具。
【請求項２】
浮きの中心線上に、穴をあけるのではなく、浮きの中心線からはずれた位置に、穴をあけ、糸が貫通するようにした浮きからなる、請求項１に記載の釣り具。
【発明の詳細な説明】
【技術分野】
【０００１】  本発明は、投げ釣りを施して、根掛かりをなくする。
根掛かりをなくす釣り具に、関するものである。
【背景技術】
【０００２】  以前は岩礁帯では、根掛かりしたら、切って捨てるしかなく、高価なため、経済的にも悪く、テンビン等などオモリも、高価で不経済である。捨てオモリ式仕掛かけももったいない。又、岩礁帯では、釣竿をシャクリながら、探り釣りも根掛かりが多いため、安心して出来なかった。
【発明の開示】
【発明が解決しようとする課題】
【０００３】  投げ釣りの時、根掛かりでテンビン等などのオモリがとられるのが非状に困る。
又、海の汚染につながり、海にゴミを捨てるようなものである。
地球環境にも悪い。
【課題を解決するための手段】
【０００４】  浮きの浮力を利用して、根掛かりを９０％なくする方法である。竿を素早く引き上げると、浮きの浮力によって生ずる、下方への力と、オモリが引っぱることによる、上方への力によって、オモリが海底から、ほぼ垂直に浮きの位置まで持ち上がり、根掛がりをなくする。
【発明の効果】
【０００５】  根掛かりがなくなった。テンビンも不要となった、オモリが海底に残らずにすんだ。海か汚染されず、ゴミにならない。
オモリ、テンビンは、値段的にも高価である。本発明でオモリを回収できるので、社会的利益につながり、釣りファン１０００万人がたすかる。
【発明を実施するための最良の形熊】
【０００６】  図２の静止状熊の時、オモリが、持ち上がらないようにセットした。図３の、道糸（３）を素早く引く事はより、地点（５）から地点（６）に浮き（１）か素早く移動する事により、より大きな浮力が発生してオモリが持ち上がる事になる。
浮き（１）の浮力によって、根掛かりなく、リールがまくことができる。よって、竿をくりかえし、シャクリながら、探り釣りも安心してできる。
【０００７】  又、図５の浮き（７）の浮力が、より大きな浮力を発生させるために、平面（８）をとった。湾曲（９）だと、浮力が平面（８）よりも小さい。
平面（８）を利用して、よりコンパクトな、浮きの改良ができる。平面（８）を利用するには、中心（１０）に穴をあけるのではなく、中心（１０）からずれた位置（１１）に、穴をあけそこに捨て糸を通す、よって浮きの向きが、図（６）の位置でも、道糸（３）を素早く引き事によって、図（８）の位置にもどり、平面（８）の面が利用できる。
図（５）の浮きを上から下へ細くしたのは遠投の時に、風圧をさけるために細くした。
【０００８】  又、図４のように、捨て糸（４）に、ヨリモドシ（１２）で、浮き（１３）をつけても、図（３）の、浮き（１）と同じ働きをする
【０００９】  図２餌（１４）の回りに、浮きを利用して魚を誘き出す事も可能である。浮き自体を疑似餌で作ったり、色をかえたり、工夫する事により、魚の警戒心を好奇心にかえて、魚を餌（１４）の回りあつけ、釣れる確立を高く出来る。
【００１０】  どんな形の浮きも、オモリ２０号で、ピンポン玉位の容積の大きさで、十分である。オモリの重さに合わせて、浮きの容積を変えると良い。図２の静止状熊は、浮き（１）の浮力によって、オモリ（２）が、海底に立つ位に設定する。
浮き（１）の浮力が小さいと、オモリが寝てしまい、寝ている状熊から、道糸（３）を素早く引いても、浮力が足りず、オモリが持ち上がる事はない。
【００１１】図７の捨て糸（４）に、浮き（１）の下に、コマセカゴ（１５）を付ける事も可能である。浮き（１）とコマセカゴ（１５）は一体にする、よって、多少、浮き（１）を大きくする必要がある。
【００１２】  又、中通しオモリ式仕掛かけも、中糸に図３の浮き（１）を通せば図３と、同様な働きをする。
【図面の簡単な説明】
【００１３】
【図１】浮きを捨て糸に付けた状熊を示す図
【図２】海中に仕掛かけた状熊
【図３】海中で道糸を引っぱった図
【図４】浮きにヨリモドシで捨て糸に付けた図
【図５】浮きを細長くして平面をとった浮き
【図６】平面が道糸と反対の方を向いてる様子
【図７】浮きの下にコマセカゴを付け海中で、静止状熊
【図８】図６の状熊から、道糸を引っぱった様子
【符号の説明】  １  浮き
２  オモリ
３  道糸
４  捨て糸
５  地点
６  地点
７  浮き
８  平面
９  湾曲面
１０  浮きの中心点
１１  中心からずれた穴
１２  ヨリモドシ
１３  浮き
１４  餌
【図１】
2010178733.tif 000003
【図２】
2010178733.tif 000004
【図３】
2010178733.tif 000005
【図４】
2010178733.tif 000006
【図５】
2010178733.tif 000007
【図６】
2010178733.tif 000008
【図７】
2010178733.tif 000009
【図８】
2010178733.tif 000010
(57)【要約】【課題】      植物、動物、魚類の成育が出来ること。【解決手段】  底を液体の漏れない構造にして多用途に使用できるようにする。【特許請求の範囲】
【請求項１】
底を液体の漏れない構造にして、多用途に使用できる箱
【発明の詳細な説明】
【技術分野】
【０００１】  本発明は植物、動物、魚類を成育目指すものである。
【背景技術】
【０００２】従来では万能な構造の施設は無かった。
【発明の開示】
【発明が解決しようとする課題】
【０００３】  植物、動物、魚類を成育が出来るようにする。
【課題を解決するための手段】
【０００４】  この課題を解決するための請求項１の発明は、底を液体の漏れない構造にする事で補える。
【発明の効果】
【０００５】本発明により、場所を選ばず、またいつでも実行することができる。
【発明を実施するための最良の形態】
【０００６】底を液体の漏れない箱とする。
【産業上の利用可能性】
【０００７】  本発明により、食料、バイオ燃料が確保できる。
又積み重ねることにより、面積を確保できる。
より良い環境を実現できる。
(57)【要約】【課題】  本発明は、ペットなどの生き物や濡れた物や汚れたものを車のトランクや室内に置く際に車内や室内が汚れたり傷ついたりするのを防ぐために、車内や室内に設置する箱形の枠を内部に設けた保護シートを提供する。【解決手段】  箱形を保てるような形と大きさに加工したビニールなどの防水素材のシートの内側にダンボールなどの素材の箱形の枠を設ける。  本発明は、以上の構成よりなる箱形枠付きシートを特徴とする。【選択図】図３
2010178729.tif 000002
【特許請求の範囲】
【請求項１】
防水素材のシートの内側に箱形の枠を設けた装置。
【発明の詳細な説明】
【技術分野】
【０００１】  本発明は、ペットなどの生き物や濡れた物や汚れたものを車のトランクや室内に置く際に車内や室内が汚れたり傷ついたりするのを防ぐために、車内や室内に設置する箱形の枠を内部に設けた保護シートに関するものである。
【背景技術】
【０００２】  従来、ビニールなどの素材でできたシートは四角形の布状であった。
【発明の開示】
【発明が解決しようとする課題】
【０００３】  そのため次のような問題点があった。
従来、車のトランクや室内の側面を保護する際にビニールなどの素材のシートでは立てた状態に保ちづらく、薄いためにクッション性が弱いので保護する力も弱かった。
本発明は、以上のような問題点を解決するためになされたものである。
【課題を解決するための手段】
【０００４】  箱形を保てるような形と大きさに加工したビニールなどの防水素材のシートの内側にダンボールなどの素材の箱形の枠を設ける。
本発明は、以上の構成よりなる箱形枠付きシートである。
【発明の効果】
【０００５】  箱形に組めるため側面と床面を同時に覆うことができる。また枠によって固定されているため箱形を保つことができる。組み立て式のため分解すれば保管に広いスペースを必要としない。枠の素材にダンボールを使えば安価で製品化できてクッション性も強くなり保護する力も強くなる。ダンボール製の枠は紛失や破損をしても他のダンボール箱から代用品を作成しやすく、再生資源となるダンボールを使用することは環境にも良い。
【発明を実施するための最良の形態】
【０００６】  以下、本発明を実施するための最良の形態について説明する。
直方体の四面分の形の枠（１）に同じ形で、なおかつ袋状で中が空洞になったシート（６）を被せる。それを車のトランクや室内に図１の枠（１）のように立てる。その左右側面に板状の枠（２）と（３）床面に板状の枠（４）を外側または内側から取りつけて、枠（２）と（３）と（４）に直方体の三面分になるように折り目をつけたシート（７）を図３の（７）のように被せる。その状態で荷物や動物をシート（７）の上に乗せてから直方体の三面分の形の枠（５）に同じ形になるように折り目をつけたシート（８）を被せたものを図３の（８）のように手前から蓋をするようにシート（７）の外側または内側または（７）と枠（２）と（３）の間に差し込み枠とシート全体を直方体の五面分の箱形にする。
防水性を重視する場合は、枠（２）と（３）と（５）を枠（９）と（１０）と（１１）にかえて先に枠（１）と（４）と組み合わせて直方体の五面分の箱形の枠を作ってからシート（６）と（７）と（８）のかわりに直方体の五面分の箱形でなおかつ袋状で中が空洞になったシート（１２）を上から被せる。
本発明は以上のような構造である。
これを使用するときは、枠（２）（３）（５）シート（６）（７）（８）を使うパターンの場合は、設置する場所で組み立てながら荷物や動物を乗せてから手前から蓋をする形で図３のように（８）を差し込む。
枠（９）（１０）（１１）シート（１２）を使うパターンの場合は、設置する場所で組み立てるか、または車内などで組み立てにくい場合は他の場所で組み立ててから車のトランクや室内などの設置する場所まで移動させて荷物や動物を乗せる。ただし移動させるときは枠床面（４）を手で支えつつ移動させるか先に（４）だけ移動先に設置しておくようにする。
車のトランクに設置する場合などは図３の（１３）のように枠（１）シート（６）か（１２）の上部の二点の穴に紐（１３）を通して車の後部座席などにくくりつけて固定することも可能である。
なお製品化する場合は、防水性重視用は省くか、もしくは防水性重視用のみでも成立するのでどちらかのみとして価格を抑えての製品化も可能である。
【図面の簡単な説明】
【０００７】
【図１】  本発明の枠部品斜視図
【図２】  本発明のシート部品斜視図
【図３】  本発明の組み立て完成品斜視図
【符号の説明】
【０００８】  （１）枠背面（２）枠側面（３）枠側面（４）枠床面（５）枠手前
（６）シート背面（７）シート側面床面（８）シート手前
（９）防水用枠側面（１０）防水用枠側面（１１）防水用枠手前
（１２）シート箱形（１３）紐
【図１】
2010178729.tif 000003
【図２】
2010178729.tif 000004
【図３】
2010178729.tif 000005
(57)【要約】      （修正有）【課題】従来の魚釣り撒き餌籠仕掛けでは、ハリス先端の餌付釣り針が落下途中に外道や餌取魚に取られてしまったり、また、落下中、餌付釣り針が回転するため、ハリスに縒りが入って絡みが発生し正確に魚群棚まで送り込むことが困難であった。【解決手段】撒き餌籠の中に撒き餌及び餌付釣り針を収納し、魚群棚まで落下させ、その後、竿をシャクリ、下部開放部の蓋に水圧をかけて、蓋を開け、撒き餌及び餌付釣り針を同時に撒き餌籠から放出するようにした。【選択図】図１
2010178727.tif 000002
【特許請求の範囲】
【請求項１】
魚釣り用具の撒き餌籠改良型であり、円筒形パイプの上部を網で仕切り、下部開口部はバネ仕掛けの蓋を取り付け、落下時には開かず魚群棚まで降りた所でのシャクリによる水圧で蓋が開き、撒き餌と同時に餌付釣り針も放出する釣果向上撒き餌籠である。
【発明の詳細な説明】
【技術分野】
【０００１】この発明は魚釣り時撒き餌籠使用に於いて、籠の中に撒き餌と餌付釣り針を同時に収納して投入、魚群棚まで落下した所でいっきに放出する装置である。
【背景技術】
【０００２】従来は仕掛けを入れる際、撒き餌籠が先に落下しハリスの長さ分遅れて餌付釣り針が降りていく状況であった。
【発明の概要】
【発明が解決しようとする課題】
【０００３】そのためつぎの様な問題点が生じていた。
イ、    狙いの棚に着くまでに上層の外道や餌取魚に餌を取られ餌付釣り針が棚まで届かないことが多い。
ロ、    落下の際餌付釣り針が回転する為ハリスに縒りが入り絡みの原因になっている。
ハ、    餌付釣り針が撒き餌より上層を流れる為喰いが悪い。
【課題を解決するための手段】
【０００４】下部開口部をバネ仕掛けで蓋をした円筒の中に撒き餌と餌付釣り針を入れ、魚群棚まで落下させシャクリによる水圧で蓋を開き、同時に放出する。
【発明の効果】
【０００５】従って落下の途中で外道や餌取魚等に餌を取られず、ハリスの縒りによる絡みも少なく狙いの棚で撒き餌の中を餌付釣り針が流れるので釣れる確率が高くなる。
【図面の簡単な説明】
【０００６】
【図１】  本発明の説明図
【発明を実施するための形態】
【０００７】以下、本発明の実施の形態について説明する。
イ、円筒形パイプ、１の上部を網、２で仕切る。
ロ、天秤棒に取り付ける金具、３をつける。
ハ、下部開口部にバネ仕掛けの蓋、４を付け、水中でシャクリ上げた時に上部の網を抜けた水圧が蓋を押し開ける様にする。
【符号の説明】
【０００８】１、は撒き餌及び餌付釣り針入れ円筒
２、は上部仕切り網
３、は吊り金具
４、はバネ仕掛け蓋
５、は餌付釣り針
６、は、ハリス
【図１】
2010178727.tif 000003
(57)【要約】【課題】同軸線路と導波管の線路変換部とを備えるとともに、小型化を実現した導波管電力分配器を得る。【解決手段】ＲＦ信号を出力するための１対の分配端子５ａ、５ｂを有する導波管１と、ＲＦ信号を入力するために導波管１の幅広面の一端から挿入されたプローブ３とを備えている。プローブ３の挿入側の幅広面と対抗する導波管１の幅広面の他端の壁面に、プローブ３の挿入位置から１対の分配端子５ａ、５ｂ側に位置するように、金属隔壁４ａ、４ｂが設けられている。【選択図】図１
2010178305.tif 000002
【特許請求の範囲】
【請求項１】
ＲＦ信号を出力するための１対の分配端子を有する導波管と、
前記ＲＦ信号を入力するために前記導波管の幅広面の一端から挿入されたプローブと、
を備えた導波管電力分配器であって、
前記プローブの挿入側の幅広面と対抗する前記導波管の幅広面の他端の壁面に、前記プローブの挿入位置から前記１対の分配端子側に位置するように、金属隔壁を設けたことを特徴とする導波管電力分配器。
【請求項２】
前記導波管に対する前記金属隔壁の装荷位置および突き出し量は、所要量に調整されることを特徴とする請求項１に記載の導波管電力分配器。
【発明の詳細な説明】
【技術分野】
【０００１】
この発明は、主としてマイクロ波帯およびミリ波帯で用いる導波管電力分配器に関するものである。
【背景技術】
【０００２】
従来から、導波管電力分配器は、高周波信号を分配および合成するために広く用いられている。特に、低損失の導波管電力分配器としては、Ｔ分岐などの導波管電力分配器がよく用いられる（たとえば、特許文献１参照）。
【０００３】
ただし、この種の導波管電力分配器と他の機器との接続には、同軸線路などが用いられる場合が多いので、上記導波管電力分配器は、同軸導波管変換器（たとえば、特許文献２参照）とを組み合わせて使用されることが多い。
【先行技術文献】
【特許文献】
【０００４】
【特許文献１】特開２００８−１９３４０３号公報
【特許文献２】特開２００７−２２８０３６号公報
【発明の概要】
【発明が解決しようとする課題】
【０００５】
上記従来技術によれば、導波管電力分配器と同軸導波管変換器とを組み合わせて使用することから、装置が大型化するという課題があった。
【０００６】
この発明は、上記のような課題を解決するためになされたものであり、同軸線路と導波管の線路変換部とを備えつつ、小型の導波管電力分配器を得ることを目的とする。
【課題を解決するための手段】
【０００７】
この発明に係る導波管電力分配器は、ＲＦ信号を出力するための１対の分配端子を有する導波管と、ＲＦ信号を入力するために導波管の幅広面の一端から挿入されたプローブと、を備えた導波管電力分配器であって、プローブの挿入側の幅広面と対抗する導波管の幅広面の他端の壁面に、プローブの挿入位置から１対の分配端子側に位置するように、金属隔壁を設けたものである。
【発明の効果】
【０００８】
この発明によれば、導波管に金属隔壁を設けることにより、同軸線路と導波管の線路変換部とを備えつつ、小型化を実現することができる。
【図面の簡単な説明】
【０００９】
【図１】この発明の実施の形態１における導波管電力分配器を示す側断面図である。
【図２】図１の導波管電力分配器のＡ−Ａ断面図である。
【図３】図１の導波管電力分配器のＢ−Ｂ断面図である。
【図４】図１の導波管電力分配器の同軸端子から見た反射特性の計算結果を示す説明図である。
【発明を実施するための形態】
【００１０】
実施の形態１．
以下、図面を参照しながら、この発明の好適な実施の形態について説明する。
図１はこの発明の実施の形態１に係る導波管電力分配器を示す断面図である。また、図２は図１の導波管電力分配器のＡ−Ａ断面であり、図３は図１の導波管電力分配器のＢ−Ｂ断面図である。
【００１１】
図１〜図３において、導波管電力分配器は、導波管１と、同軸線路２と、プローブ３と、金属隔壁４ａ、４ｂと、導波管１に両側面に設けられた１対の分配端子５ａ、５ｂと、同軸線路２に設けられた同軸端子６とを備えている。
【００１２】
プローブ３は、導波管１の幅広上面の中央部から垂直に挿入され、かつ、同軸線路２の先端に設けられている。一方、金属隔壁４ａ、４ｂは、プローブ３が挿入される導波管１の上面と対向する導波管１の下面の壁面（導波管１の幅広下面）に設けられている。
なお、金属隔壁４ａ、４ｂの製作時において、導波管１に対する金属隔壁４ａ、４ｂの装荷位置Ｌａ、Ｌｂおよび突き出し量Ｄａ、Ｄｂは、所望の周波数ｆｏにおいてインピーダンス整合するように、所要量に調整されている。
【００１３】
次に、図１〜図３に示したこの発明の実施の形態１に係る導波管電力分配器の動作について説明する。
同軸端子６から入力されたマイクロ波帯（または、ミリ波帯）のＲＦ信号は、同軸線路２を伝播し、プローブ３によって導波管１の中央部と結合され、導波管１の両端側に伝播して、分配端子５ａ、５ｂから出力される。
【００１４】
このとき、導波管１に設けられた金属隔壁４ａ、４ｂの装荷位置Ｌａ、Ｌｂと、金属隔壁４ａ、４ｂの導波管１への突き出し量Ｄａ、Ｄｂと、を調整することにより、同軸端子６側からのインピーダンス値を整合させることができる。
【００１５】
図４は導波管電力分配器の同軸端子６側からみた反射特性の計算結果を示す説明図である。
図４から明らかなように、金属隔壁４ａ、４ｂの装荷調整により、所望の周波数ｆｏにおいてインピーダンス整合が実現されていることが分かる。
【００１６】
以上のように、この発明の実施の形態１（図１）に係る導波管電力分配器は、ＲＦ信号を出力するための１対の分配端子５ａ、５ｂを有する導波管１と、ＲＦ信号を入力するために導波管１の幅広面の一端から挿入されたプローブ３とを備え、プローブ３の挿入側の幅広面と対抗する導波管１の幅広面の他端の壁面に、プローブ３の挿入位置から１対の分配端子５ａ、５ｂ側に位置するように、金属隔壁４ａ、４ｂが設けられている。
【００１７】
これにより、従来の２つの構成品（導波管電力分配器および同軸導波管変換器）に代えて、導波管電力分配器に同軸導波管変換器としての機能を付加することができ、小型の導波管電力分配器を実現することができる。
また、金属隔壁４ａ、４ｂを導波管１に対する金属隔壁４ａ、４ｂの装荷位置Ｌａ、Ｌｂおよび突き出し量Ｄａ、Ｄｂは、所望の周波数ｆｏにおいてインピーダンス整合するように、製作時に所要量に調整することができる。
【００１８】
なお、以上の説明では、導波管電力分配器の電力分配器としての動作について説明したが、同一構成の導波管電力分配器を電力合成器として使用可能であることは言うまでもない。
また、図１においては、導波管１に対する金属隔壁４ａ、４ｂを溝形状で形成したが、任意の金属を挿入した構成としてもよい。
【符号の説明】
【００１９】
１  導波管、２  同軸線路、３  プローブ、４ａ、４ｂ  金属隔壁、５ａ、５ｂ  分配端子、６  同軸端子。
【図１】
2010178305.tif 000003
【図２】
2010178305.tif 000004
【図３】
2010178305.tif 000005
【図４】
2010178305.tif 000006